(57)【要約】【課題】  ベルトコンベヤにおける支持ローラーのうち下支持ローラーの交換を容易に行い得るローラー交換補助装置の提供。【解決手段】  ジャッキ装置１０を、吊持具１２を介して支持フレーム３，３に吊持させるように支持させるため、ベルトコンベアの設置面に支持フレーム３，３の脚が支持されていたり、他の設備が配置されていたり、設置面に被搬送物の塵芥が堆積していたとしても、ジャッキ装置１０を伸長させて下支持ローラー２を持上げることができる。【選択図】  図９
2019077523.tif 000002
【特許請求の範囲】
【請求項１】
上側の往路および下側の復路を循環するよう無端回転するベルトと、前記往路の下側に配置されて前記ベルトの垂れ下がりをその長手方向途中部分で支持する上支持ローラーと、前記復路の下側に配置された前記ベルトの垂れ下がりをその長手方向途中部分で支持する下支持ローラーと、前記ベルトの長手方向に沿い該ベルトの幅方向両側、且つ前記往路および復路の間にあって前記上支持ローラーおよび下支持ローラーを支持する支持フレームとを備えたベルトコンベヤの、
前記復路の下側に前記ベルトの幅方向に沿うよう配置される支持杆部材と、
前記支持フレームに取付けられる取付部、および前記支持フレームの下側位置において該支持杆部材の端部側を支持する支持部を備えて、前記各支持フレームに支持されるよう垂下する吊持具と、
前記復路の下面にその幅方向で当接する持上部を備えるとともに、前記支持杆部材に支持されるジャッキとを備えたことを特徴とするローラー交換補助装置。
【請求項２】
前記吊持具の支持部は、前記支持杆部材を前記復路の幅方向に挿通させるよう構成されている請求項１に記載のローラー交換補助装置。
【請求項３】
前記支持杆部材は断面矩形の杆状に形成され、前記吊持具の支持部は、前記支持杆部材の底壁面を載せる第一底壁面支持部と、前記支持杆部材の両外側面に対向する第一側壁面対向部とを備えた請求項１または請求項２に記載のローラー交換補助装置。
【請求項４】
前記各支持フレームに取付けられ、前記支持杆部材を前記往路と復路との間で前記ベルトの幅方向に沿うよう、該支持杆部材の端部側を載置させる載置具を備えた請求項１ないし請求項３の何れか１項に記載のローラー交換補助装置。
【請求項５】
前記載置具は、前記支持杆部材を前記往路の幅方向に挿通させるよう構成されている請求項４に記載のローラー交換補助装置。
【請求項６】
前記支持杆部材は断面矩形の杆状に形成され、前記載置具は、前記支持杆部材の底壁面を載せる第二底壁面支持部と、前記支持杆部材の両外側面に対向する第二側壁面対向部とを備えた請求項４または請求項５に記載のローラー交換補助装置。
【請求項７】
前記ジャッキの持上部は、その幅方向両側に持上片を備え、該持上片はラチェット機構により垂直面内で回動自在とされている請求項１ないし請求項６の何れか１項に記載のローラー交換補助装置。
【請求項８】
前記ジャッキが備えたジャッキ伸縮用のねじ部材を回転させるための回転操作具を備え、
該回転操作具は、筒状の把持部と、該把持部を遊嵌するよう挿通し先端に前記ねじ部の被操作片に係止するフックを有し、基端に電動式の回転具の回転駆動部が装着される被操作部を備えた請求項１ないし請求項７の何れか１項に記載のローラー交換補助装置。
【発明の詳細な説明】
【技術分野】
【０００１】
本発明は、ベルトコンベヤに付設されたローラーの交換を補助するためのローラー交換補助装置に関する。
【背景技術】
【０００２】
例えば、セメントの製造設備には、クリンカ等の被搬送物を次の処理工程部へ向けて搬送するのに、ベルトコンベヤが用いられる。ベルトコンベヤは、被搬送物を載せて無端回転するベルトと、ベルトが不要に垂れ下がらないようその長手方向途中部分で支持する支持ローラーと、ベルトの両側にベルトの長手方向に沿うよう配置されて、支持ローラーをベルトの下側位置で支持するための支持フレームとを備えている。
【０００３】
支持ローラーは、ベルトの自重や被搬送物の重量を受けてベルトの無端回転に伴って回転すると経時的に摩耗し、これを原因としてベルトが損傷し、あるいは被搬送物によっては、その塵芥等が支持ローラーの軸受部に入り込み、そうなると支持ローラーの回転を阻害する。このような事情から支持ローラーは、必要に応じて交換される。
【０００４】
そこで、ベルトコンベヤにおける支持ローラーを交換するためのローラー交換補助装置が、下記特許文献１に提案されている。特許文献１に記載のローラー交換補助装置は、両側の支持フレームに渡される杆状部材と、杆状部材に取付けられたジャッキとを備える。ジャッキは、ベルトの下面に当接可能な当接部を備える。
【０００５】
このローラー交換補助装置を用いて支持ローラーを交換するには、作業者は、交換対象となる支持ローラーの近傍において、杆状部材を両側の支持フレームに渡し、杆状部材をフレームに固定して杆状部材を安定させた状態とする。次に作業者は、ジャッキを上下方向に伸ばして当接部材をベルトの下面に当接させ、さらにジャッキを伸ばすことでベルトを持上げる。そうすることで、ベルトが支持ローラーから離間させた状態となるから、作業者は支持ローラーを交換し易くなる。
【先行技術文献】
【特許文献】
【０００６】
【特許文献１】実公昭５３−４９１９４号公報
【発明の概要】
【発明が解決しようとする課題】
【０００７】
ところで、ベルトコンベヤのベルトは、被搬送物を次の処理工程部へ向けて搬送する上側の往路および被搬送物が載せられるよう戻す下側の復路を無端回転する。例えば、搬送経路が長尺であるベルトを備えたベルトコンベヤでは、支持ローラーとして、往路においてベルトの下側でベルトを支持する上支持ローラーと、復路においてベルトの下側でベルトを支持する下支持ローラーを備える場合がある。
【０００８】
上記特許文献１に記載のローラー交換補助装置では、杆状部材を両側の支持フレームに渡し固定したうえで、ジャッキを上下方向に伸ばしベルト持上げることで、支持ローラーのうちの上支持ローラーに対し、往路におけるベルトを離間させて、上支持ローラーを交換し易くすることが可能である。
【０００９】
いっぽうで、上記特許文献１に記載のローラー交換補助装置を、下支持ローラーの交換に用いるためには、杆状部材を両側の支持フレームに渡す代わりに、フレームを設置している設置面に載置することが考えられる。この場合では、杆状部材を安定させるための手段を講じる必要がある。しかしながら、そもそも設置面には支持フレームの脚が支持されていたり、他の設備が配置されたりしていて設置しにくい。しかも、設置面には塵芥が堆積していることもあり、そうなると、ローラー交換補助装置を設置できない。
【００１０】
そこで本発明は、ベルトコンベヤにおける支持ローラーのうち下支持ローラーの交換を容易に行い得るローラー交換補助装置の提供を目的とする。
【課題を解決するための手段】
【００１１】
本発明のローラー交換補助装置は、上側の往路および下側の復路を循環するよう無端回転するベルトと、前記往路の下側に配置されて前記ベルトの垂れ下がりをその長手方向途中部分で支持する上支持ローラーと、前記復路の下側に配置された前記ベルトの垂れ下がりをその長手方向途中部分で支持する下支持ローラーと、前記ベルトの長手方向に沿い該ベルトの幅方向両側、且つ前記往路および復路の間にあって前記上支持ローラーおよび下支持ローラーを支持する支持フレームとを備えたベルトコンベヤの、前記復路の下側に前記ベルトの幅方向に沿うよう配置される支持杆部材と、前記支持フレームに取付けられる取付部、および前記支持フレームの下側位置において該支持杆部材の端部側を支持する支持部を備えて、前記各支持フレームに支持されるよう垂下する吊持具と、前記復路の下面にその幅方向で当接する持上部を備えるとともに、前記支持杆部材に支持されるジャッキとを備えたことを特徴としている。
【００１２】
上記構成を備えた本発明のローラー交換補助装置では、作業者が各支持フレームに吊持具の取付部を取付けることで、吊持具を支持フレームに垂下させ、支持杆部材の一端部側を一方の吊持具の支持部に支持させ、支持杆部材の他端部側を他方の吊持具の支持部に支持させ、支持杆部材に支持させたジャッキを伸長させると、持上部がベルトのうち復路の下面に当接し、さらにジャッキを伸長させると、持上部により下支持ローラーに対し復路が離間するよう持上げられるから、下支持ローラーの交換作業がし易い。
【００１３】
本発明のローラー交換補助装置では、前記吊持具の支持部は、前記支持杆部材を前記復路の幅方向に挿通させるようにした構成を採用できる。
【００１４】
上記構成のローラー交換補助装置では、吊持具の支持部に支持杆部材を復路の幅方向に挿通させることで、支持杆部材が復路の幅方向に沿った状態で吊持具に支持されるから、ジャッキの持上部を復路の幅方向に沿わせて、復路を持上げることができる。
【００１５】
本発明のローラー交換補助装置では、前記支持杆部材は断面矩形の杆状に形成され、前記吊持具の支持部は、前記支持杆部材の底壁面を載せる第一底壁面支持部と、前記支持杆部材の両外側面に対向する第一側壁面対向部とを備えた構成を採用できる。
【００１６】
上記構成のローラー交換補助装置では、支持杆部材の底壁面を支持部の第一底壁面支持部に載せることで支持杆部材が安定して支持され、しかも支持部は支持杆部材の外側面に対向する第一側壁面対向部を備えていることで、ジャッキを伸長させて復路を持上げる際にジャッキを倒す方向の力が働いても、支持杆部材の外側面が第一側壁面対向部に当接して支持されるから、ジャッキを倒すことなく安定させられる。
【００１７】
本発明のローラー交換補助装置は、前記各支持フレームに取付けられ、前記支持杆部材を前記往路と復路との間で前記ベルトの幅方向に沿うよう、該支持杆部材の端部側を載置させる載置具を備えた構成を採用できる。
【００１８】
上記構成のローラー交換補助装置では、作業者が、載置具を各支持フレームに取付け、支持杆部材の一端部側を一方の載置具に載置し、支持杆部材の他端部側を一方の載置具に載置して、支持杆部材を、支持フレームに載置具を介して支持させ、支持杆部材に支持させたジャッキを伸長させると、持上部がベルトのうち往路の下面に当接し、さらにジャッキを伸長させると、持上部により上支持ローラーに対し往路が離間するよう持上げられるから、上支持ローラーの交換作業がし易い。
【００１９】
本発明のローラー交換補助装置では、前記載置具は、前記支持杆部材を前記往路の幅方向に挿通させる構成を採用できる。
【００２０】
上記構成のローラー交換補助装置では、支持杆部材を、往路の幅方向に挿通させるよう載置具に載置させことで、支持杆部材が往路の幅方向に沿った状態で載置具に載置されるから、ジャッキの持上部を往路の幅方向に沿わせて、往路を持上げることができる。
【００２１】
本発明のローラー交換補助装置では、前記支持杆部材は断面矩形の杆状に形成され、前記載置具は、前記支持杆部材の底壁面を載せる第二底壁面支持部と、前記支持杆部材の両外側面に対向する第二側壁面対向部とを備えた構成を採用できる。
【００２２】
上記構成のローラー交換補助装置では、支持杆部材の底壁面を載置具の第二底壁面支持部に載せることで支持杆部材が安定して支持され、しかも支持部は支持杆部材の外側面に対向する第二側壁面対向部を備えていることで、ジャッキを伸長させて往路を持上げる際にジャッキを倒す方向の力が働いても、支持杆部材の外側面が第二側壁面対向部に当接して支持されるから、ジャッキを倒すことなく安定させられる。
【００２３】
本発明のローラー交換補助装置では、前記ジャッキの持上部は、その幅方向両側に持上片を備え、該持上片はラチェット機構により垂直面内で回動自在とされた構成を採用できる。
【００２４】
上記構成のローラー交換補助装置では、幅方向両側が幅方向外側へ上傾斜する断面形状のベルトに対し、持上部の持上片をラチェット機構を介してベルトの断面形状に沿わせることで、ベルトに対する負荷を抑えつつベルトを持上げることができる。
【００２５】
本発明のローラー交換補助装置では、前記ジャッキが備えたジャッキ伸縮用のねじ部材を回転させるための回転操作具を備え、該回転操作具は、筒状の把持部と、該把持部を遊嵌するよう挿通し先端に前記ねじ部材の被操作片に係止するフックを有し、基端に電動式の回転具の回転駆動部が装着される被操作部を備えた構成を採用できる。
【００２６】
上記構成のローラー交換補助装置では、作業者は回転操作具のフックをねじ部材の被操作片に係止し、把持部を把持し、電動式の回転具の回転駆動部を、回転操作具の被操作部に装着して回転具を駆動することで、ねじ部材を回転させてジャッキを伸縮させると、ベルトの往路あるいは復路を、上支持ローラーあるいは下支持ローラーに対し、容易に持上げられる。
【発明の効果】
【００２７】
本発明のローラー交換補助装置によれば、ベルトコンベヤにおける支持ローラーのうち下支持ローラーの交換を容易に行い得る。
【図面の簡単な説明】
【００２８】
【図１】本発明の一実施形態に係るローラー交換補助装置のジャッキ装置を載置具に載置させる前の正面図である。
【図２】同ジャッキ装置を載置具に載置させた状態の正面図である。
【図３】同吊持具を支持フレームに吊持した状態の斜視図である。
【図４】同載置具を支持フレームに吊持した状態の斜視図である。
【図５】同ジャッキ装置のねじ部材に回転操作具を取付け、回転操作具に電動式の回転具を取付けた状態の正面図である。
【図６】同電動式の回転具を駆動させ、ジャッキを伸長させることで往路を持上げた状態の正面図である。
【図７】同ローラー交換補助装置のジャッキ装置を吊持具に吊持させる前の正面図である。
【図８】同ジャッキ装置を吊持具に吊持させた状態の正面図である。
【図９】同電動式の回転具を駆動させ、ジャッキを伸長させることで復路を持上げた状態の正面図である。
【発明を実施するための形態】
【００２９】
以下、本発明の一実施形態に係るローラー交換補助装置を、図面を参照しつつ説明する。本実施形態にかかるローラー交換補助装置が適用されるベルトコンベヤは一般的な構成を備えている。すなわちベルトコンベヤは、図１に示すように、上側の往路Ｂ１および下側の復路Ｂ２を循環するよう無端回転するベルトＢと、往路Ｂ１の下側に配置されてベルトＢの垂れ下がりをその長手方向途中部分で支持する上支持ローラー１と、復路Ｂ２の下側に配置されたベルトＢの垂れ下がりをその長手方向途中部分で支持する下支持ローラー２と、ベルトＢの幅方向両側にあってその長手方向に沿い上支持ローラー１および下支持ローラー２を支持する支持フレーム３，３とを備えている。
【００３０】
ベルトＢには可撓性が付与されている。往路Ｂ１は、被搬送物４を次の処理工程部へ向けて搬送する領域である。復路Ｂ２は順次的に被搬送物４が載せられるよう戻される領域である。ベルトＢは、その幅方向両側を上傾斜させるよう形成されており、これにより往路Ｂ１上の被搬送物４が幅方向外側に落下しにくい。
【００３１】
上支持ローラー１は、幅方向中心に配置された水平ローラー５と、水平ローラー５の両側に配置され、ベルトＢ（往路Ｂ１）の幅方向での傾斜に沿う二個の傾斜ローラー６，６とを備える。往路Ｂ１はこれら水平ローラー５、傾斜ローラー６，６により、不要な垂れ下がりを阻止されている。いっぽうで、ベルトＢは、復路Ｂ２においては往路Ｂ１に対し反転されて、水平方向に配置された下支持ローラー２により、不要な垂れ下がりを阻止されている。そしてベルトＢには可撓性が付与されているから、復路Ｂ２は、往路Ｂ１に比べて幅方向での傾斜が緩やかになり、水平な断面形状に近付けられている。
【００３２】
支持フレーム３，３は、ベルトＢの幅方向両側にあり、且つ往路Ｂ１と復路Ｂ２の間に配置されている。支持フレーム３，３は、矩形断面の長尺の筒状、あるいは下側を開放したコ字型に形成されている。何れにせよ、平坦に形成された上壁面枠７と、上壁面枠７の幅方向両側に垂下するよう一体的に形成された平坦な側壁面枠８とを備えている。
【００３３】
ローラー交換補助装置は、ベルトＢを持上げるためのジャッキ装置１０と、ジャッキ装置１０を伸縮させるための回転操作具１１（図２参照）と、ジャッキ装置１０を支持フレーム３，３に吊持するための吊持具１２（図３参照）と、ジャッキ装置１０を支持フレーム３，３に載置するための載置具１３（図４参照）とを備える。
【００３４】
図１および図２に示すように、ジャッキ装置１０は、支持杆部材１４と、ジャッキ１５とを備える。支持杆部材１４は支持フレーム３，３の離間幅に比べて長い杆状に形成されている。具体的に、図３に示すように、支持杆部材１４は、底壁面１６と天壁面１７と一対の側壁面１８を有して断面略正方形の筒状に形成されている。
【００３５】
図１に示すように、ジャッキ１５は、四本のリンク部材２０，２１，２２，２３どうしの連結によるパンタグラフ機構を備え、リンク部材２０，２１，２２，２３どうしの連結角度が変更されることで昇降するよう構成されている。ジャッキ１５は、支持杆部材１４の長手方向中心位置に、脚側（支持杆部材１４側）に配置されたリンク部材２０，２１が回動自在に取付けられている。
【００３６】
ジャッキ１５は、リンク部材２０，２１，２２，２３どうしの連結角度を変更する手段として、幅方向一方側の一対のリンク部材２０，２２どうしの回動中心部、および幅方向他方側の一対のリンク部材２１，２３どうしの回動中心部を通るねじ部材２４を備えている。ねじ部材２４の一方側には、回転操作具１１のフック２５が係止される環状の被操作片２６が一体的に形成されている。
【００３７】
ジャッキ装置１０は、支持側（ベルトＢ側）に配置されたリンク部材２２，２３に、ベルトＢの下面に幅方向で当接する持上部２７を備える。持上部２７は、支持側に配置されたリンク部材２２，２３に、支持杆部材１４と平行となるよう固定された支持片２８と、支持片２８の幅方向両側に、ラチェット機構２９を介して回動自在に取付けられた一対の持上片３０，３０とを備える。各持上片３０，３０は、ラチェット機構２９により、支持片２８の長手方向（幅方向）端に対して幅方向外側に向けて上傾斜可能とされている。支持片２８および持上片３０，３０の上面は、ベルトＢの下面に当接させた際のベルトＢへの損傷を抑えるよう、矩形の平面状に形成されている。
【００３８】
図２に示すように、回転操作具１１は、作業者が把持する筒状の把持部３１と、把持部３１を遊嵌するよう挿通した（把持部３１に隙間を介して挿通した）杆状の本体部３２を備える。本体部３２の先端に、ねじ部材２４の被操作片２６に係止する前記フック２５が形成され、基端に、図５に示す電動式の回転具（例えば、電動インパクトレンチ）Ｍの回転駆動部が装着される被操作部３３（図２参照）を備える。把持部３１の両端は拡径するよう杆状部材３４（例えばワッシャ）が固定されて、作業者の手の把持状態が安定され易い仕様である。被操作部３３としては、本体部３２に固定された六角ナットが用いられている。
【００３９】
図３に示すように、吊持具１２は、各支持フレーム３，３に支持されるよう垂下させる部材である。吊持具１２は、支持フレーム３に取付けられる第一取付部３５と、支持フレーム３の下側位置において支持杆部材１４の端部側を支持する第一支持部３６とを備えている。
【００４０】
第一取付部３５は、支持フレーム３の上壁面枠７の上面に重ねるよう載置される吊持用上壁３７と、支持フレーム３の側壁面枠８に側方から重ねられる一対の吊持用側壁３８，３８とを一体的に、下側を開放したコ字型に形成されている。換言すれば、吊持用上壁３７および吊持用側壁３８，３８は平板状に形成され、吊持用側壁３８，３８は吊持用上壁３７の面方向に対し直交する方向に配置されている。
【００４１】
第一支持部３６は一方の吊持用側壁３８から一体的に、且つ一方の吊持用側壁３８の面方向に沿うよう垂下されるフレーム状に形成されている。一方の吊持用側壁３８とは、吊持具１２の使用状態、すなわち、支持フレーム３に吊持具１２を垂下させた際に、幅方向外側に位置する吊持用側壁３８である。
【００４２】
第一支持部３６は具体的に、支持杆部材１４の底壁面１６を載せる第一底壁面支持部４０と、支持杆部材１４の各側壁面１８に対向する第一側壁面対向部４１，４１とを備える。これら第一底壁面支持部４０および第一側壁面対向部４１，４１は杆状部材から一体的に形成されている。
【００４３】
第一側壁面対向部４１，４１は、支持フレーム３の長手方向に離間して配置され、第一側壁面対向部４１，４１の離間幅は、支持杆部材１４の端部側の幅に比べてわずかに大きく設定されている。このため、第一支持部３６は、第一底壁面支持部４０と、第一側壁面対向部４１，４１との間の空間において、支持杆部材１４を復路Ｂ２の幅方向に挿通させ得る。本実施形態におけるローラー交換補助装置では、上記構成を有する吊持具１２が一組準備されている。
【００４４】
図４に示すように、載置具１３は、各支持フレーム３，３に載せるようにして取付けられる部材であり、支持杆部材１４を往路Ｂ１と復路Ｂ２との間でベルトＢの幅方向に沿うよう、支持杆部材１４の端部側を載置させる構成を備えている。載置具１３は、支持フレーム３に取付けられる第二取付部４２と、支持フレーム３の上側位置において支持杆部材１４の端部側を支持する一対の第二支持部４３とを備えている。
【００４５】
第二取付部４２は、支持フレーム３の上壁面枠７の上面に重ねるよう載置される載置用上壁４４と、支持フレーム３の側壁面枠８に側方から重ねられる一対の載置用側壁４５，４５とから下側を開放したコ字型に形成されている。換言すれば、載置用上壁４４および載置用側壁４５，４５は平板状に形成され、載置用側壁４５，４５は載置用上壁４４の面方向に対し直交する方向に配置されている。
【００４６】
第二支持部４３は杆状部材からコ字型に形成されている。第二支持部４３は、載置用側壁４５，４５からその面方向に沿うよう上方へ向けて取付けられた第二側壁面対向部４６，４６と、第二側壁面対向部４６，４６の上端部に渡された渡し杆４７とから一体的に形成されている。各第二支持部４３は、支持フレーム３の長手方向に離間するよう一対で第二取付部４２に設けられている。第二支持部４３どうしの離間幅は、支持杆部材１４の端部側の幅に比べてわずかに大きく設定されている。この構成により、載置具１３は、第二支持部４３の間の空間において、支持杆部材１４を往路Ｂ１の幅方向に挿通させ得る。本実施形態におけるローラー交換補助装置では、上記構成を有する載置具１３が一組準備されている。
【００４７】
以下に、上記構成のローラー交換補助装置の使用方法を説明する。本実施形態におけるローラー交換補助装置は、上支持ローラー１または下支持ローラー２の交換の際に、その交換を補助するように用いられる。はじめに、上支持ローラー１の交換におけるローラー交換補助装置の使用方法を説明する。この場合では、ローラー交換補助装置の一部が、上支持ローラー１の交換に用いられる。すなわち、図１に示すように載置具１３、ジャッキ装置１０、および図２に示すように、回転操作具１１が、上支持ローラー１の交換に用いられる。
【００４８】
上支持ローラー１が摩耗した状態にある等の事情により、これを交換する場合、本実施形態に係るローラー交換補助装置を、交換対象となる上支持ローラー１の近傍位置（その上支持ローラー１の上流側でも下流側でもよい）において用い、往路Ｂ１を持上げる。以下、ローラー交換補助装置の使用方法を具体的に説明する。
【００４９】
作業者は、ベルトコンベヤの駆動を停止させたうえで、交換対象となる上支持ローラー１の近傍において、図４に示すように、支持フレーム３に載置具１３を取付ける。載置具１３の載置用上壁４４を支持フレーム３の上壁面枠７に載置するようにすると、載置用側壁４５，４５が支持フレーム３側壁面枠８，８に対向し、支持フレーム３に載置具１３を容易に取付けることができる。この載置具１３は、各支持フレーム３，３に取付けられる。載置具１３，１３どうしは、各支持フレーム３，３の長手方向において略同一部位に配置することが好ましい。
【００５０】
続いて作業者が、図１に示すように、ジャッキ装置１０におけるジャッキ１５を、支持杆部材１４の上に位置するようにし、支持杆部材１４の一端部側を、一方の載置具１３における載置用上壁４４に載せるようにして、第二支持部４３，４３の間に挿通させる（図４参照）。また作業者は、支持杆部材１４の他端部側を、他方の載置具１３における載置用上壁４４に載せるようにして、第二支持部４３，４３の間に挿通させる。支持フレーム３，３は、往路Ｂ１と復路Ｂ２との間に配置されていることから、ジャッキ装置１０が載置具１３を介して支持フレーム３，３に載置され、図２に示すようにジャッキ１５を、往路Ｂ１の下側においてその幅方向中心位置に配置することができる。
【００５１】
載置用上壁４４および載置用側壁４５，４５は平板状に形成され、載置用側壁４５，４５は載置用上壁４４の面方向に対し直交する方向に配置され、第二支持部４３の第二側壁面対向部４６，４６は、載置用側壁４５，４５からその面方向に沿うよう上方へ向けて取付けられている。このため、ジャッキ装置１０を支持フレーム３，３の長手方向に対して垂直に配置することができる。
【００５２】
上支持ローラー１の交換の際には、ジャッキ装置１０においては、ジャッキ５１の持上片３０を支持片２８に対し回動させて用いる。すなわち作業者は、図５に示すように、持上片３０を、ラチェット機構２９を用いて支持片２８に対し回動させ、往路Ｂ１の下面形状に沿わせる。その後は、ジャッキ１５のねじ部材２４の被操作片２６に、回転操作具１１のフック２５を係止し、回転具Ｍの回転駆動部を、回転操作具１１の被操作部３３に取付け、作業者は把持部３１を把持して回転具Ｍを駆動する。そうすると、図６に示すように、回転操作具１１がその軸心回りに回転して、ジャッキ１５が伸長するようリンク部材２０〜２３どうしの連結角度が変更され、往路Ｂ１が上支持ローラー１に対し上側に離れるように持上げられる。
【００５３】
支持杆部材１４の一端部側および他端部側は、第二支持部４３，４３の間を挿通した状態で底壁面１６を載置用上壁４４に載せられ、各側壁面１８には第二支持部４３の第二側壁面対向部４６，４６が対向している。このため、上記のようにしてジャッキ１５を伸長して往路Ｂ１を上支持ローラー１に対し離れるように持上げる際に、ジャッキ１５にこれを傾倒させる方向への力が働いたとしても、側壁面１８が第二側壁面対向部４６，４６に当接することで、支持杆部材１４の姿勢が維持される。このため、ジャッキ１５の姿勢も略垂直方向に維持されて、往路Ｂ１を円滑に持上げることができる。
【００５４】
載置具１３は、支持杆部材１４を、往路Ｂ１の幅方向（往路Ｂ１の長手方向に直交する方向）に沿うよう支持する。そして、載置具１３，１３どうしは、各支持フレーム３，３の長手方向において略同一部位に配置させていることで、支持杆部材１４は、確実に往路Ｂ１の幅方向に沿わせられる。このため、ジャッキ１５もまた、確実に往路Ｂ１の幅方向に沿わせられた状態で、往路Ｂ１を上支持ローラー１に対し離れるように、円滑に持上げることができる。
【００５５】
また、ジャッキ１５においては、持上片３０を、ラチェット機構２９を用いて支持片２８に対し回動させ、往路Ｂ１の下面形状に沿わせるようにして、往路Ｂ１が持上げられるから、往路Ｂ１に持上げの力が働いた場合でも、往路Ｂ１に負担をかけずに持上げることができる。
【００５６】
そして、往路Ｂ１が上支持ローラー１に対し離れるように持上げられた状態とすることで、上支持ローラー１に接触する物がないことから、上支持ローラー１（水平ローラー５、傾斜ローラー６，６）の交換作業がし易い。交換対象となった上支持ローラー１の交換が終了すれば、作業者は再び回転具Ｍを用いてジャッキ１５を縮め、交換後の上支持ローラー１に往路Ｂ１を載せる。
【００５７】
次に、下支持ローラー２の交換における、本実施形態のローラー交換補助装置の使用方法を説明する。この場合でも、ローラー交換補助装置の一部が、下支持ローラー２の交換に用いられる。すなわち、図７等に示すように、吊持具１２、ジャッキ装置１０、および回転操作具１１が、下支持ローラー２の交換に用いられる。なお、図７ないし図９に示すように、下支持ローラー２の交換の際には、ジャッキ装置１０においては、ジャッキ５１の持上片３０は回動させることなく、支持片２８に平行な姿勢で用いられる。
【００５８】
下支持ローラー２が摩耗した状態にある等の事情により、これを交換する場合、本実施形態に係るローラー交換補助装置を、交換対象となる下支持ローラー２の近傍位置において用いて、復路Ｂ２を持上げる。以下、ローラー交換補助装置の使用方法を具体的に説明する。
【００５９】
作業者は、ベルトコンベヤの駆動を停止させたうえで、交換対象となる下支持ローラー２の近傍（その下支持ローラー２の上流側でも下流側でもよい）において、図３に示すように、支持フレーム３，３に吊持具１２，１２を取付ける。吊持具１２の吊持用上壁３７を支持フレーム３の上壁面枠７に載置するようにすると、吊持用側壁３８，３８が支持フレーム３の側壁面枠８，８に対向して、支持フレーム３に吊持具１２を容易に取付けることができる。この際、作業者は、第一支持部３６（一方の吊持用側壁３８）を支持フレーム３の幅方向外側に位置させるようにして、支持フレーム３に吊持具１２を吊持させ、吊持具１２の第一支持部３６を支持フレーム３に垂下させる。吊持用上壁３７および吊持用側壁３８，３８は平板状に形成され、吊持用側壁３８，３８は吊持用上壁３７の面方向に対し直交する方向に配置されている。このため、第一支持部３６は、支持フレーム３，３に直交する方向に垂下する。
【００６０】
支持フレーム３，３は、往路Ｂ１と復路Ｂ２との間に配置されていることから、第一支持部３６が支持フレーム３，３に垂下した状態では、第一支持部３６のうち、少なくとも第一底壁面支持部４０は、復路Ｂ２に対しその下側に配置される。吊持具１２，１２どうしは、各支持フレーム３，３の長手方向において略同一部位に配置することが好ましい。
【００６１】
続いて作業者は、図３、図７に示すように、ジャッキ装置１０におけるジャッキ１５を、支持杆部材１４の上に位置するようにし、図８に示すように、支持杆部材１４の一端部側を、一方の吊持具１２における第一支持部３６の第一底壁面支持部４０に載せるようにして、第一側壁面対向部４１，４１の間に挿通させる。また作業者は、支持杆部材１４の他端部側を、他方の吊持具１２における第一支持部３６の第一底壁面支持部４０に載せるようにして、第一側壁面対向部４１，４１の間に挿通させる。このようにすることで、ジャッキ装置１０が吊持具１２を介して支持フレーム３，３に吊持され、ジャッキ１５を、復路Ｂ２の下側においてその幅方向中心位置に配置することができる。
【００６２】
そして作業者は、図９に示すように、ジャッキ１５のねじ部材２４の被操作片２６に、回転操作具１１のフック２５を係止し、回転具Ｍの回転駆動部を、回転操作具１１の被操作部３３に取付け、把持部３１を把持して回転具Ｍを駆動する。そうすると、本体部３２は把持部３１を遊嵌しているから、回転操作具１１がその軸心回りに回転し、ジャッキ１５が伸長するようリンク部材２０〜２３どうしの連結角度が変更される。ジャッキ１５は、吊持具１２に吊持された支持杆部材１４に支持固定されているから、ジャッキ１５が伸長すると、復路Ｂ２が下支持ローラー２に対し上側に離れるように持上げられる。
【００６３】
支持杆部材１４の一端部側および他端部側は、第一支持部３６を挿通した状態で底壁面１６を第一底壁面支持部４０に載せられ、各側壁面１８には第一側壁面対向部４１，４１が対向している。このため、上記のようにしてジャッキ１５を伸長して復路Ｂ２を下支持ローラー２に対し離れるように持上げる際に、ジャッキ１５にこれを傾倒させる方向への力が働いたとしても、側壁面１８が第一側壁面対向部４１，４１に当接することで、支持杆部材１４の姿勢が維持される。このため、ジャッキ１５の姿勢も略垂直方向に維持されて、復路Ｂ２を円滑に持上げることができる。
【００６４】
吊持具１２は、支持杆部材１４を、復路Ｂ２の幅方向（復路Ｂ２の長手方向に直交する方向）に沿うよう支持する。そして、吊持具１２，１２どうしは、各支持フレーム３，３の長手方向において略同一部位に配置させていることで、支持杆部材１４は、確実に復路Ｂ２の幅方向に沿わせられる。このため、ジャッキ１５もまた、確実に復路Ｂ２の幅方向に沿わせられた状態で、復路Ｂ２を下支持ローラー２に対し離れるように、円滑に持上げることができる。
【００６５】
復路Ｂ２が下支持ローラー２に対し離れるように持上げられた状態とすることで、下支持ローラー２に接触する物がないことから、下支持ローラー２の交換作業がし易い。交換対象となった下支持ローラー２の交換が終了すれば、作業者は再び回転具Ｍを用いてジャッキ１５を縮め、交換後の下支持ローラー２に復路Ｂ２を載せる。
【００６６】
このように、本実施形態のローラー交換補助装置では、支持杆部材１４にジャッキ１５を取付けたジャッキ装置１０を、載置具１３を介して支持フレーム３，３に支持させ、ジャッキ１５を伸長させることでベルトＢの往路Ｂ１を上支持ローラー１から離間するよう持上げることで、作業者にとって上支持ローラー１の交換作業がし易くなる。
【００６７】
特に、本実施形態のローラー交換補助装置は、吊持具１２を備え、下支持ローラー２を交換するためにジャッキ装置１０を、吊持具１２を介して支持フレーム３，３に吊持させるように支持させる。このため、ベルトコンベアの設置面に支持フレーム３,３の脚が支持されていたり、他の設備が配置されていたり、あるいは設置面に被搬送物４の塵芥が堆積していたとしても、このような条件に応じてローラー交換補助装置を支持フレーム３，３に設置することができる。
【００６８】
本発明は上記実施形態に限定されない。上記実施形態では、吊持具１２は、第一取付部３５と、第一支持部３６とから構成され、第一支持部３６は、第一取付部３５とは別部材とした杆状部材から、第一底壁面支持部４０と、第一側壁面対向部４１，４１とを一体的に形成した構成を例示した。しかしながら、例えば、第一支持部３６を、第一取付部３５から下方に向けて延長される板状として、第一取付部３５に一体的形成し、このような第一取付部３５（板状部材）に、支持杆部材１４の端部側を挿通させ得る開口を形成することもできる。
【００６９】
上記実施形態では、載置具１３は、第二取付部４２と第二支持部４３とから一体的に構成され、第二支持部４３は杆状部材からコ字型に形成された場合を例示した。しかしながら、各第二支持部４３は、例えば板状部材から形成することもでき、この板状部材を載置用上壁４４に一体的に立設するよう構成することもできる。
【００７０】
上記実施形態では、ジャッキ１５は支持杆部材１４に一体的に取付けた構成を例示した。しかしながら、ジャッキ１５は支持杆部材１４に着脱自在とすることもできる。
【００７１】
上記実施形態では、持上片３０，３０はラチェット機構２９を介して、支持片２８に回動自在とした構成を例示した。しかしながら、持上片３０，３０を支持片２８に対して回動自在とする機構はラチェット機構２９に限定されず、持上片３０，３０の傾斜を保持でき、しかも傾斜を解除できる機構であればよい。
【符号の説明】
【００７２】
１…上支持ローラー、２…下支持ローラー、３，３…支持フレーム、４…被搬送物、５…水平ローラー、６，６…傾斜ローラー、７…上壁面枠、８，８…側壁面枠、１０…ジャッキ装置、１１…回転操作具、１２，１２…吊持具、１３，１３…載置具、１４…支持杆部材、１５…ジャッキ、１６…底壁面、１７…天壁面、１８…側壁面、２０，２１，２２，２３…リンク部材、２４…ねじ部材、２５…フック、２６…被操作片、２７…持上部、２８…支持片、２９…ラチェット機構、３０，３０…持上片、３１…把持部、３２…本体部、３３…被操作部、３４…杆状部材、３５…第一取付部、３６…第一支持部、３７…吊持用上壁、３８，３８…吊持用側壁、４０…第一底壁面支持部、４１，４１…第一側壁面対向部、４２…第二取付部、４３…第二支持部、４４…載置用上壁、４５，４５…載置用側壁、４６，４６…第二側壁面対向部、４７…渡し杆、５１…ジャッキ、Ｂ…ベルト、Ｂ１…往路、Ｂ２…復路、Ｍ…回転具
【図１】
2019077523.tif 000003
【図２】
2019077523.tif 000004
【図３】
2019077523.tif 000005
【図４】
2019077523.tif 000006
【図５】
2019077523.tif 000007
【図６】
2019077523.tif 000008
【図７】
2019077523.tif 000009
【図８】
2019077523.tif 000010
【図９】
2019077523.tif 000011